(57)【要約】      （修正有）【課題】生簀養殖において、ろ過海水を使用し且この海水が養殖飼育により汚染されない為の施設を設け、清淨魚介類を生産する。【解決手段】砂丘地帯の中に内海面養殖漁場を造成し、その中にろ過海水を導入して養殖池の独立保全を図り、飼育による残飼・糞を除去する装置を設け清淨な海水環境を保全する。砂地盤の海中地下に砕石ネツト・フイルターによる体積を保持し、その間隙水を吸引する。また、導入ろ過海水は揚水圧送されて調整池に入り、水温・雑菌・溶存酸素量等の検査と管理を受ける。さらに、残飼・糞の処理を確実に行なう為の装置を設け定期的に清掃を行なう。【選択図】図２
2005013185.tif 000002
【特許請求の範囲】
【請求項１】
（イ）砂地盤の海底地下から「ろ過された海水」を取水する設備を設ける。
（集水ピツト）
（ロ）当該施設を利用する砂地盤の内陸部に養殖漁場を設け、残餌・糞を除去する要領。
（ハ）用済海水の処理。（排水ピツト）
【発明の詳細な説明】
【０００１】
【発明の属する技術分野】
この発明は海面養殖業の分野において砂地盤の内陸部を活用して浄化された大量の海水を利用し、清浄魚介類を生産するとともに、この砂地盤を利用して飼育による残餌・糞を適時に処理し、常に良好な養殖環境を維持して、「持続的養殖生産確保法」の目的の具体化を図るものである。
【０００２】
【従来の技術】
養殖業界の象徴的な事例として、平成１５年４月２３日長崎県の（公序良俗違反につき、不掲載）知事が大英断をもつてホルマリンが使用された「トラフグ」１６６万匹の出荷停止を要請（後日疫焼却処分）するとともに緊急記者会見を行ない「全国の消費者に対し申訳ない」と陳謝された事が挙げられる。
現在の沿岸養殖の海水環境は、積年の産廃の不法投棄や過密飼育による残餌・糞の放置未処理等により悪化しており、養殖効率化のため薬剤に頼らざるを得ない面もあると思はれる。これが為前記「確保法」（平成１１年７月）が施行されたが漁場の改善と漁類疾ぺい防除の具体策に乏しいのが現況である。
【０００３】
【発明が解決しよう戸する課題】
（イ）養殖漁場の海水は浄化されたものを利用する。
（ロ）残飼・糞を定期的に除去する。
（ハ）良好な水質管理により魚介類の疾ぺい対策としての薬剤は使用しない。
（ニ）稚苗からの一貫飼育により「清淨魚介」を生産する。
【０００４】
【課題を解決するための手段】
（イ）砂地盤の地下海水を利用する。
（ロ）内陸部の砂地盤に養殖漁場を設置し、飼育管理を容易ならしめると共にサンドポンプ等により漁場の清掃を定期的に行なう。
（ハ）送海水の中途において水質管理（温度、２次淨化、検査、その他）行なう。
【０００５】
【発明の実施の形態】
（イ）実施要領として砂地盤の内陸部に養殖漁場を建設する。規模は深さ１０〜２０メートル面積は３万ｍ２以上のものとする。
（ロ）平均海水位５メートルが確保できる砂地盤の地下に取水ピツト  を設置する。ポケツトは１辺１０メートル以上の立方体とし砕石ネツト・フイルターの篭工とし、透水性を高め取水量を確保する。取水取出し管は１メートル以上を垂立にして砂の吸込みを防止する。
（ニ）導水管は強化ＦＲＰ管の内経１、５〜２、０メートル程度とし２ｍ３／ｓｅｃ程度の取水が可能なものとする。基礎工に梯子胴木を使用する。
（ホ）取水施設は横軸ポンプ２台による圧送による。漁場に送水する中間点において  温度管理（主として冷却装置）検査機能（酸素・雑菌・その他）状況により２次ろ過（活性炭による）を行なう。
（ヘ）生簀に残飼・糞の収集装置を取付け、交換可能にしておき、散乱落下の分はサンド・ポンプにより吸上げ処理を行なう。これがため漁場の底面は中央部が低くなるよう傾斜をつける。
（ト）排水は径１メートルの鑄鉄製のキヤツプに３方向の放水管を取付け、本管のＦＲＰ管に接続する。漂砂対策上陸側向けの排水量を多くする。
（チ）１００ＩＰの組立て式サンド・ポンプ船を常駐させる。
【０００６】
【発明の効果】
（イ）ろ過された海水による飼育により「清淨魚介」と言う《ブランド物》の生産が確保できる。また疾ぺい防止のための薬剤使用が不用となる。
（ロ）飼育に伴う残渣の確実な処理により、低酸素水や硫化水素の発生と伝染性疾ぺいの発性・蔓延等を防止して、養殖漁場を良好に維持できる。
（ハ）内海面養殖漁場のため、天候気象の影響が少なく、女子や高齢者の職場が確保され適時適量の施飼や管理が可能となる。
【図面の簡単な説明】
【図１】砂地盤の内陸部に計画された「内海面養殖漁場」の１例。
【図２】ろ過海水の流路系統の断面図。取水から圧送までの流れを示す。
【図３】取水ピツトの平面図及び断面図。取水方法手段の概要と砕石ネツト・フイルター仕様をしめす。
【図４】ＦＲＰ管の規格・構造図。管仕様の概要を示す。
【図５】揚水施設断面図。取水圧送の構造を示す。砂溜りはサンド・ポンプにより処理する。
【図６】生簀における残飼・糞集収要領図。備品仕様の概要を示す。空気ゴム袋は収集器材の重さを支え、シートに勾配を付与する。
【図７】排水ピツト。放流口の仕様の概要をしめす。洗掘防止と漂砂対策を重視し、耐久性を維持する。
【図８】組立式サンドポンプ船の平面図及び断面図。（参考）
移動可能な組立式で常駐させる得る小型の物が良い。
【図１】
2005013185.tif 000003
【図２】
2005013185.tif 000004
【図３】
2005013185.tif 000005
【図３】
2005013185.tif 000006
【図４】
2005013185.tif 000007
【図５】
2005013185.tif 000008
【図６】
2005013185.tif 000009
【図６】
2005013185.tif 000010
【図７】
2005013185.tif 000011
【図７】
2005013185.tif 000012
【図８】
2005013185.tif 000013
【手続補正書】
【提出日】平成16年1月5日(2004.1.5)
【手続補正１】
【補正対象書類名】図面
【補正対象項目名】全図
【補正方法】変更
【補正の内容】
【図１】
2005013185.tif 000014
【図２】
2005013185.tif 000015
【図３】
2005013185.tif 000016
【図４】
2005013185.tif 000017
【図５】
2005013185.tif 000018
【図６】
2005013185.tif 000019
【図７】
2005013185.tif 000020
【図８】
2005013185.tif 000021
【手続補正２】
【補正対象書類名】明細書
【補正対象項目名】図面の簡単な説明
【補正方法】変更
【補正の内容】
【図面の簡単な説明】
【図１】ろ過された海水で養殖する事こそが清淨魚介類生産の決め手であるので砂地盤の地下１０メートル以上の所から取水し、圧送する海水の流れを構成するに必要な施設の断面を示す。
【図２】毎秒約２ｍ３のろ過海水を確保する為、空隙率３０％の砕石ネツト・フイルターの体積約２０００ｍ３分を取水口周囲に確保する。ＦＲＢ管を使用して耐久性を維持する。砂の落下進入を防ぐ為に厚さ５ミリのゴムマツトで上面を保護する。
【図３】取水管は大口径で耐久性と耐圧性を具備しなければならない。このためにＦＲＢ管を採用し、その規格．構造を示す。
内径１、５メートル〜２、０メートルのものを使用する。
【図４】取水管を利用したサイフオン方式の導入海水を横軸ポンプ（３
2005013185.tif 000022
揚水の中間に設ける傾斜付壁篩により砂分を除去する。砂溜りに集めた砂はサンド．ポンプにより除去する。
【図５】鑄鉄製の排水塔（内径１メートル）に３方向の排水蛇口（内径５０センチ）を設ける。２方向は陸地に向け波の打返す力を弱め漂砂の堆積を図る。排水塔の根固めに蛇籠を置く。面積約１６ｍ２。
【図６】排水塔の根固めには径６０センチ長さ４メートルの蛇籠を３段重ねの交互積みとする。フトン籠を代用しても良い。
【図７】養殖における残餌・魚糞の処理こそが「持続的養殖生産確保法」が求める養殖漁場の改善の決め手である。内陸部における生簀養殖においての集収要領の全体像を示す。内陸部の作業は天候・気象の影響が少なく容易である。
【図８】生簀底辺の集収ネツトは本体より大きくして弛み持たせる。幹線ロープで集収袋の口金リング径２メートルを保持し、上張りのビニールマツトで残餌・糞を集収する。集収袋は上縁にロープを通し、口金リングに６ケ所フツク掛けにする。集収装置の重量による生簀下部の絞り込み防止のため空気ゴム袋を幹線ロープに取付ける。ゴム袋の浮力は１本当たり２３キログラムとして４本取りつける。